(57)【要約】【課題】間取りの自由度を高めつつ、構造上の強度を担保することのできるログハウスを提供する。【解決手段】横倒させた複数のログ材１０１を高さ方向に積み上げてなるログ壁１０を備えたログハウス１は、外側支柱２と内側支柱３を有する。棒状の外側支柱２は、鉛直方向に長さを有し、ログ壁１０を外側から内側支柱３との間に挟持する。また、棒状の内側支柱３は、鉛直方向に長さを有し、ログ壁１０を内側から外側支柱２との間に挟持する。【選択図】図２
2018123567.tif 000002
【特許請求の範囲】
【請求項１】
横倒させた複数のログ材を高さ方向に積み上げてなるログ壁を備えたログハウスであって、
鉛直方向に長さを有し、上記ログ壁を外側から内側支柱との間に挟持する棒状の外側支柱と、
鉛直方向に長さを有し、上記ログ壁を内側から上記外側支柱との間に挟持する棒状の上記内側支柱と、を有する、
ことを特徴とするログハウス。
【請求項２】
上記ログ壁には、梁の端部が挿し込まれており、
上記内側支柱の上端が、上記梁に連結している、
請求項１記載のログハウス。
【請求項３】
上記内側支柱の上端には、上記梁と連結するサポートピンが嵌入する長孔が形成されており、
上記長孔には、上記ログ壁のセトリングによる変位を吸収するためのセトリングスペースが設けられている、
請求項２記載のログハウス。
【請求項４】
上記内側支柱は、基礎上に立設している、
請求項１乃至３いずれかの項に記載のログハウス。
【請求項５】
上記外側支柱と上記内側支柱夫々について、ネジが貫通して上記ログ壁に螺合している、
請求項１乃至４いずれかの項に記載のログハウス。
【請求項６】
横倒させた複数のログ材を高さ方向に積み上げてなるログ壁と、
鉛直方向に長さを有する、上記ログ壁を内側から外側支柱との間に挟持する棒状の内側支柱と、
鉛直方向に長さを有し、上記ログ壁を外側から上記内側支柱との間に挟持する棒状の上記外側支柱と、を有する、
ことを特徴とするログハウスの組立キット。
【発明の詳細な説明】
【技術分野】
【０００１】
本発明は、ログハウス及びその工法に関し、広い室内空間と構造的強度を併存させるものに関する。
【背景技術】
【０００２】
丸太組構法による建築物、所謂ログハウスは、丸太、製材その他これに類する木材等のログ材を、欠き込みを入れて交差させながら水平に積み上げることで壁面（ログ壁）を構築している。
このログ壁は、所定の形状に切り欠いたノッチをログ材に形成した上、このノッチ同士を嵌合させながらログ材を交差させることで、構造上の強度を担保している。そのため、ノッチで囲まれるログ壁の一辺の最大長は所定の長さ（１０ｍ：平成14年5月15日  国土交通省告示第411号による）に規定されており、これにより、ログハウスの間取り形状ないしは面積は一定の制限を受けることになる。
【先行技術文献】
【特許文献】
【０００３】
【特許文献１】特開２００８−２９１５１８号公報
【特許文献２】特開２００９−３０４１９号公報
【発明の概要】
【発明が解決しようとする課題】
【０００４】
即ち、図７に示されるように、一定以上の床面積を実現しようとすると、外側のログ壁１０ａの途中にノッチを形成させると共に、端部にノッチを形成させた内側のログ壁１０ｂ（内壁）を設け、外側のログ壁１０ａのノッチと内側１０ｂのログ壁のノッチとを交差、嵌合させることにより、構造上の強度を担保しなくてはならない。しかしながら、内壁を設けなければいけないということは、間取りに制限が加えられることを意味することになり、内壁のない一定上の広さを有する室内空間を実現することができないことになる。
また、このような内壁を設けることは、材料コストの増加にもつながる。
【０００５】
そこで、本発明は、間取りの自由度を高めつつ、構造上の強度を担保することのできるログハウスを提供することを目的とする。
【課題を解決するための手段】
【０００６】
上記目的を達成するため、本発明の一の観点に係るログハウスは、横倒させた複数のログ材を高さ方向に積み上げてなるログ壁を備えたログハウスであって、鉛直方向に長さを有し、上記ログ壁を外側から内側支柱との間に挟持する棒状の外側支柱と、鉛直方向に長さを有し、上記ログ壁を内側から上記外側支柱との間に挟持する棒状の上記内側支柱と、を有することを特徴とする。
【０００７】
また、上記ログ壁には、梁の端部が挿し込まれており、上記内側支柱の上端が、上記梁に連結しているものとしてもよい。
【０００８】
また、上記内側支柱の上端には、上記梁と連結するサポートピンが嵌入する長孔が形成されており、上記長孔には、上記ログ壁のセトリングによる変位を吸収するためのセトリングスペースが設けられているものとしてもよい。
【０００９】
ここで、サポートピンとは、内側支柱を梁や基礎等に連結させて固定するための略棒状部材であって、丸棒、ボルト、ネジ棒等として構成される。
また、セトリングとは、ログハウスがログ材を横倒させた状態で積み上げてログ壁を形成させるところ、このログ壁が乾燥収縮により沈みこむ現象をいい、一般的にはログ材の積み上げ高さの２％程度沈み込み、ログハウスの完成後２年程度で落ち着く。このセトリングに対処するため、ログハウスには、ボルト締め箇所にルーズホールが設けられるなど、ボルトの締め直し等が行えるようになっている。
【００１０】
また、上記内側支柱は、基礎上に立設しているものとしてもよい。
【００１１】
また、上記外側支柱と上記内側支柱夫々について、ネジが貫通して上記ログ壁に螺合しているものとしてもよい。
【００１２】
また、本発明の別の観点に係るログハウスの組立キットは、横倒させた複数のログ材を高さ方向に積み上げてなるログ壁と、鉛直方向に長さを有する、上記ログ壁を内側から外側支柱との間に挟持する棒状の内側支柱と、鉛直方向に長さを有し、上記ログ壁を外側から上記内側支柱との間に挟持する棒状の上記外側支柱と、を有することを特徴とする。
【発明の効果】
【００１３】
本発明によれば、間取りの自由度を高めつつ、構造上の強度を担保することができる。
【図面の簡単な説明】
【００１４】
【図１】本発明の実施形態に係るログハウスを示した斜視図である。
【図２】本実施形態に係るログハウスの構造を示した断面図である。
【図３】本実施形態に係るログハウスの構造を示した側面図である。
【図４】本実施形態に係るログハウスの構造を示した斜視図である。
【図５】本実施形態に係るログハウスの構造を示した模式図である。
【図６】本発明の別の実施形態に係るログハウスの構造を示した断面図である。
【図７】従来の工法によって建築されるログハウスの構造を示した模式図である。
【００１５】
以下、本発明の実施形態に係るログハウスについて、図を参照して説明する。
図１、図２に示されるように、本実施形態に係るログハウス１は、地面に打設された基礎１１、基礎１１上に固定された角柱状の土台１２、及び土台１２上に構築されたログ壁１０のほか、梁１３や屋根（図示省略）等によって構成される。
【００１６】
ログ壁１０は、横倒させた複数のログ材１０１を高さ方向に積み上げてなる。ログ材１０１の端部近傍には、所定の形状に切り欠いたノッチが形成され、交差する二つのログ壁１０を構成するログ材１０１のノッチ同士が嵌合している。
また、土台１２には、幕板１５と、基礎１１と土台１２の境界において雨水の浸入を防ぐ水切り１６が取り付けられている。
【００１７】
本実施形態に係るログハウス１のログ壁１０は、所定の箇所において、外側支柱２と内側支柱３からなる一対の支柱によって挟持されている。この外側支柱２と内側支柱３は、いずれも棒状の支柱であって、長さ方向を鉛直方向に合わせて配設されている。
【００１８】
外側支柱２は、ログ壁１０の外側に側面を当接させて配設されている。
この外側支柱２には、図２及び図３に示されるように、ネジ２１ｂ、２２ｂが側面から貫通し、さらにこのネジ２１ｂ、２２ｂがログ壁１０に螺合している。これにより外側支柱２がログ壁１０に当接した状態に固定されている。
【００１９】
ここで、ネジ２２ｂが貫通する下方のネジ孔２２ａは、上下方向若しくは外側支柱２の長さ方向に幅広な開口幅を有する貫通孔、所謂ルーズホールであって、この上下方向の開口幅は、ログ壁１０のセトリングに対応すべく設けられている。即ち、セトリングによってログ壁１０が沈んだ場合でも、ネジ２２ｂはネジ孔２２ａの上下方向の開口幅分だけ変位可能であって、ログ壁１０に追随して下方へ移動するようになっている。
【００２０】
一方、ネジ２１ｂが貫通する上方のネジ孔２１ａは、ログ壁１０のセトリングに対応した開口幅を有しておらず、ネジ２１ｂの径に応じた貫通孔であり、このネジ孔２１ａの位置では、外側支柱２とログ壁１０が相対的にずれることなく固定されている。
このようなネジ孔２１ａ、２２ａを介して、ネジ２１ｂ、２２ｂがログ壁１０に螺合しているため、ログ壁１０のセトリングに伴う外側支柱２の動きが下方向のみに規制される。
【００２１】
また、外側支柱２の下端部には、セトリング時に、土台１２に取り付けられた幕板１５を避けるためのセトリングスペース２３ａが設けられている。セトリングスペース２３ａは、ログ壁１０に当接する外側支柱２の内側の一部を切り欠いて形成されたもので、セトリングにより、ログ壁１０に追随して外側支柱２が沈んだ場合でも、幕板１５がセトリングスペース２３ａに収まり、幕板１５と外側支柱２がぶつかり合うことがない。
【００２２】
内側支柱３は、ログ壁１０の内側に側面を当接させて配設されている。
この内側支柱３には外側支柱２と同様、図２及び図４に示されるように、ネジ３１ｂ、３２ｂが側面から貫通し、さらにこのネジ３１ｂ、３２ｂがログ壁１０に螺合している。これにより内側支柱３がログ壁１０に当接した状態に固定されている。
【００２３】
ここで、ネジ３２ｂが貫通する上方のネジ孔３２ａは、上下方向若しくは内側支柱３の長さ方向に幅広な開口幅を有する貫通孔、所謂ルーズホールであって、この上下方向の開口幅は、ログ壁１０のセトリングに対応すべく設けられている。即ち、セトリングによってログ壁１０が沈んだ場合でも、ネジ３２ｂはネジ孔３２ａの上下方向の開口幅分だけ変位可能であって、ログ壁１０に追随して下方へ移動するようになっている。
【００２４】
一方、ネジ３１ｂが貫通する下方のネジ孔３１ａは、ログ壁１０のセトリングに対応した開口幅を有しておらず、ネジ３１ｂの径に応じた貫通孔であり、このネジ孔３２ａの位置では、内側支柱３とログ壁１０が相対的にずれることなく固定されている。
このようなネジ孔３１ａ、３２ａを介して、ネジ３１ｂ、３２ｂがログ壁１０に螺合しているため、ログ壁１０のセトリングに伴う内側支柱３の動きが下方向のみに規制される。
【００２５】
また、内側支柱３の軸心には、上端及び下端に夫々、上方又は下方に向かって開口すると共に、鉛直方向に長さを有する長孔３３ａ、３４ａが形成されている。
上端の長孔３３ａにはサポートピン３３ｃの一端が嵌入しており、サポートピン３３ｃの他端は梁１３に設けられた長孔３３ｂに嵌入している。これにより、内側支柱３と梁１３が連結している。
【００２６】
ここで、梁１３の端部はログ壁１０に挿し込まれているため、サポートピン３３ｃと長孔３３ａの嵌入部分は、梁１３を介してログ壁１０のセトリングの影響を受ける。そのため、長孔３３ａ内はセトリングによる変位を吸収するためのセトリングスペースを構成する。即ち、梁１３と内側支柱３とは僅かに離間した状態でサポートピン３３ｃによって連結され、また、長孔３３ａにはサポートピン３３ｃの一端が一定の深さまで、奥に隙間を残して嵌入しており、セトリングによってログ壁１０が沈んだ際には、サポートピン３３ｃを長孔３３ａ内に嵌入あるいは緩めて調節できるようになっている。
【００２７】
下端の長孔３４ａには、サポートピン３４ｃの一端が嵌入し、サポートピン３４ｃの他端はパッキン１４を介して土台１２に設けられた長孔３３ｂに嵌入している。これにより、内側支柱３が基礎１１上に立設している。
なお、本例では、内側支柱３の下端と基礎１１の間にパッキン１４が挟み込まれ、基礎１１の湿気が直接、ログ材１０１に伝わらないようになっている。
【００２８】
このように、ログ壁１０が外側支柱２と内側支柱３とで挟持される結果、複数のログ材１０１からなるログ壁１０に対し、外側から内側へ、あるいは内側から外側へ曲げ応力がかかったとしても、ログ壁１０は基礎１１あるいは土台１２上において、撓むことなく真っ直ぐに直立する。
また、ログ壁１０にかかる曲げ応力は、ログ壁１０の内側に固定された内側支柱３を介して、内側支柱３に連結する梁１３に逃がされる。その結果、ログ壁１０はやはり、曲げ応力に抗して、真っ直ぐ直立した状態を維持することができる。
【００２９】
以上の本実施形態に係るログハウス１によれば、ノッチによる嵌合構造と同様の構造的強度を担保しつつ、間取りの自由度を高めることができる。
即ち、従来であれば図７に示されるように、必要な構造的強度を担保しつつ、広い床面積を実現するためには、外壁の途中にあたる所定の箇所で内壁を交差させる必要があったところ、本実施形態であれば、図５に示されるように、上記所定の箇所で内壁を外側支柱と内側支柱で挟持させればよい。この構造によって、構造的強度を失うことなく内壁を省くことができる結果、広い室内空間を実現できると共に、間取りの自由度が高められる。
また、内壁を設けない分、コストを軽減することもできる。
【００３０】
なお、ログ材は、Ｉ型ログ、Ｄ型ログ、丸ログなど、各種のログを用いることができる。
また、土台１２が設けられていないログハウスであっても、本発明の適用は可能である。
また、パッキン１４は適宜設けられるものであって、基礎１１と内側支柱３の設けられていない場合もあれば、基礎１１と土台１２の間に設けられる場合もあるが、いずれの場合にも本発明の適用は可能である。
【００３１】
また、上述の実施形態では、セトリングスペースを構成する長孔３３ａが内側支柱３の上端に設けられていたが、これに限らず、図６（ａ）に示されるように、長孔３３ｄとして梁１３に設けられていてもよいし、図６（ｂ）に示されるように、長孔３３ｅとして内側支柱３の下端に設けられていてもよく、いずれの例についても本発明の適用は可能である。
また、サポートピン３３ｃ、３４ｃは、丸棒であってもよいし、部分的あるいは全体的にネジが切られたネジ棒であってもよく、このサポートピン３３ｃ、３４ｃが嵌入する長孔３３ａ、３３ｂ、３４ａ、３４ｂはサポートピン３３ｃ、３４ｃの形状に合わせた内周面を備えたものとすることができる。
【００３２】
また、上述の実施形態では、外側支柱２において、セトリングに対応したルーズホールからなるネジ孔２２ａを下方に設け、ネジ２１ｂの径に応じた貫通孔かなるネジ孔２１ａを上方に設けたが、逆に、上方をルーズホールとし、下方を貫通孔としてもよい。
また、内側支柱３についても同様に、上方をルーズホールとし、下方を貫通孔としてもよい。
【００３３】
また、上述のログハウス１は、ログハウス１を構成する部材、即ち、複数のログ材１０１からなるログ壁１０、外側支柱２、及び内側支柱３等を含めた組立キットとして提供することもできる。この組立キットを所定の工程に従って組み立てることで、ログハウス１が建築される。
【符号の説明】
【００３４】
１      ログハウス
１０    ログ壁
１０１  ログ材
１１    基礎
１２    土台
１３    梁
１４    パッキン
１５    幕板
１６    水切り
２      外側支柱
３      内側支柱
【図１】
2018123567.tif 000003
【図２】
2018123567.tif 000004
【図３】
2018123567.tif 000005
【図４】
2018123567.tif 000006
【図５】
2018123567.tif 000007
【図６】
2018123567.tif 000008
【図７】
2018123567.tif 000009
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
横倒させた複数のログ材を高さ方向に積み上げてなるログ壁を備えたログハウスであって、
鉛直方向に長さを有し、上記ログ壁を外側から内側支柱との間に挟持する棒状の外側支柱と、
鉛直方向に長さを有し、上記ログ壁を内側から上記外側支柱との間に挟持する棒状の上記内側支柱と、を有し、
上記ログ壁には、梁の端部が挿し込まれており、
上記内側支柱の上端が、上記梁に連結している、
ことを特徴とするログハウス。
【請求項２】
上記内側支柱の上端には、上記梁と連結するサポートピンが嵌入する長孔が形成されており、
上記長孔には、上記ログ壁のセトリングによる変位を吸収するためのセトリングスペースが設けられている、
請求項１記載のログハウス。
【請求項３】
横倒させた複数のログ材を高さ方向に積み上げてなるログ壁を備えたログハウスであって、
鉛直方向に長さを有し、上記ログ壁を外側から内側支柱との間に挟持する棒状の外側支柱と、
鉛直方向に長さを有し、上記ログ壁を内側から上記外側支柱との間に挟持する棒状の上記内側支柱と、を有し、
上記外側支柱と上記内側支柱夫々について、ネジが貫通して上記ログ壁に螺合している、
ことを特徴とするログハウス。
【請求項４】
上記ログ壁には、梁の端部が挿し込まれており、
上記内側支柱の上端が、上記梁に連結している、
請求項３記載のログハウス。
【請求項５】
上記内側支柱の上端には、上記梁と連結するサポートピンが嵌入する長孔が形成されており、
上記長孔には、上記ログ壁のセトリングによる変位を吸収するためのセトリングスペースが設けられている、
請求項４記載のログハウス。
【請求項６】
上記内側支柱は、基礎上に立設している、
請求項１乃至５いずれかの項に記載のログハウス。
【請求項７】
横倒させた複数のログ材を高さ方向に積み上げてなるログ壁と、
鉛直方向に長さを有する、上記ログ壁を内側から外側支柱との間に挟持する棒状の内側支柱と、
鉛直方向に長さを有し、上記ログ壁を外側から上記内側支柱との間に挟持する棒状の上記外側支柱と、を有し、
上記ログ壁には、梁の端部が挿し込まれ、
上記内側支柱の上端が、上記梁に連結される、
ことを特徴とするログハウスの組立キット。
【請求項８】
横倒させた複数のログ材を高さ方向に積み上げてなるログ壁と、
鉛直方向に長さを有する、上記ログ壁を内側から外側支柱との間に挟持する棒状の内側支柱と、
鉛直方向に長さを有し、上記ログ壁を外側から上記内側支柱との間に挟持する棒状の上記外側支柱と、を有し、
上記外側支柱と上記内側支柱夫々について、ネジが貫通して上記ログ壁に螺合される、
ことを特徴とするログハウスの組立キット。